(57)【要約】【課題】一次成形部分と二次成形部分とが強固に一体化され二次成形部分の剥離が抑えられたブラシを提供すること。【解決手段】複数の植毛孔４０を有する植毛基部４１の植毛孔４０に用毛束３をその片端部３０が突出するように挿入した後、型端部３０に溶融塊３１を形成し、溶融塊３１を充填材で被覆して植毛基部４１と用毛束３とを固定化したブラシである。植毛基部４１における前記充填材と接する部分に、固化した該充填材の植毛基部４１からの剥離を抑制する剥離抑制部５を設けた。剥離抑制部５は、好ましくは粗面、凹凸、段差又はこれらの組み合わせからなる。【選択図】    図７
2004254780.tif 000002
【特許請求の範囲】
【請求項１】
複数の植毛孔を有する植毛基部の該植毛孔に用毛束をその片端部が突出するように挿入した後、該片端部に溶融塊を形成し、該溶融塊を充填材で被覆して前記植毛基部と前記用毛束とを固定化したブラシであって、
前記植毛基部における前記充填材と接する部分に、固化した該充填材の該植毛基部からの剥離を抑制する剥離抑制部を設けたブラシ。
【請求項２】
前記剥離抑制部が粗面、凹凸、段差、貫通孔又はこれらの組み合わせからなる請求項１記載のブラシ。
【請求項３】
前記植毛基部にその基面部から立ち上がる立ち上がり部を形成しておき、該立ち上がり部の立ち上がり面部又は上面部に前記剥離抑制部を設けた請求項１又は２記載のブラシ。
【請求項４】
前記剥離抑制部を前記植毛基部における長手方向又は幅方向に間隔をおいて複数有している請求項１又は２記載のブラシ。
【発明の詳細な説明】
【０００１】
【発明の属する技術分野】
本発明は、ブラシ、特に、歯ブラシに関する。
【０００２】
【従来の技術及び発明が解決しようとする課題】
歯ブラシの製造方法に関する従来技術として、用毛束の挿入孔を有する植毛基部を成形し（一次成形）、該挿入孔に用毛束を挿入し、該挿入孔から突出する用毛束の端部を加熱して溶融して融合塊を形成し、該融合塊を含む該一次成形部分に成形材料を射出し（二次成形）、一次成形部と二次成形部との界面を熱接着し、歯ブラシのハンドル部の先端部分（一次成形部と二次成形部）を一体的に成形する技術が知られている（例えば、下記特許文献１、２参照）。
【０００３】
ところで、このような製造方法では、図１１（ａ）に示すように、二次成形の際に、二次成形材料が一次成形部分４１０及び成形金型１８０の双方に接した状態で固化される。このため、図１１（ｂ）に示すように、二次成形部分４２０が一次成形部分４１０から剥離する方向に熱収縮力が発生し、製造される歯ブラシにおいて、一次成形部分４１と二次成形部分４２０との接着性が十分に得られにくいという課題を有している。さらには、溶融塊３１０と二次成形樹脂は、接着性が乏しい材質を使用することが多く、その場合は、一次成形部分４１０と二次成形部分４２０の熱接着界面が少なく、さらに接着性が乏しくなる。
【０００４】
また、歯ブラシの使用時には、ハンドル部分に繰り返し曲げ応力が作用するため、一次成形部分４１と二次成形部分４２０との接着性が十分に得られていないと、二次成形部分４２０が容易に剥離してしまうおそれがある。
【０００５】
しかしながら、下記特許文献１及び２に記載の技術では、このような二次成形材料の熱収縮力により発生する内部応力（剥離力）や使用時における一次成形部分と二次成形部分との歯磨き時の繰り返し曲げ応力よる剥離の防止策に関しては何ら考慮されていない。
【０００６】
このような形態の歯ブラシの一次成形部分４１０及び二次成形部分４２０には、ポリプロピレン樹脂〔溶解度パラメーター（ＳＰ値）＝８．０〕、ポリエチレンテレフタレート〔溶解度パラメーター（ＳＰ値）＝１０．７〕が使用されることが多く、用毛束３００の用毛の材料には、ナイロン〔溶解度パラメーター（ＳＰ値）＝１３．６〕が使用されることが多い。このような溶解度パラメーターの差が大きい材料の組み合わせでは、熱による接着が困難である。このため、溶融塊３１０と二次成形部分４２０とは接着が困難なため、一次成形部分４１０と二次成形部分４２０との接触界面部のみが熱接着する。
従って、上述のような技術においては、一次成形部分と二次成形部分との接触界面の熱接着性が特に重要な課題となる。
【０００７】
上述のように、二次成形部分４２０は固化時に収縮が発生し、一次成形部分４１０と二次成形部分４２０との接着界面に収縮による剥離応力が存在する。また、歯磨き時の曲げ応力等も加わり、前記接着界面において剥離する場合がある。
【０００８】
これらの改善策としては、二次成形部分４２０の充填材の充填時における樹脂温度を高め、接着界面の熱接着性を高めることが考えられるが、樹脂温度が高すぎると、固化時の熱収縮も増大し、一次成形部分４１０の変形（そり）を増大させる。
また、二次成形部分４２０の充填材が充填装置内で熱劣化し、炭化物が混入し、製品不良となる可能性もあり、二次成形部分の充填材の樹脂温度を過度に上げることは好ましくない。
【０００９】
さらに、二次成形部分４２０の充填材の充填量を増やして、接着熱量を増やし、前記接着界面の熱接着力を増すこともできるがヘッド（植毛部分）の厚みが増大する。一般に、口腔内で操作性の良い歯ブラシは、ヘッドの厚みｔ（図１１（ａ）参照）が３〜５ｍｍであり、二次成形部分４２０における溶融塊３１０の被覆部分の厚み（充填流路）ｔ２は、実質的に１〜２ｍｍ程度である。このため、二次成形による被覆部分の充填量を増やすことにも、限度がある。
【００１０】
またさらに、前記接着界面の熱接着力を高めるため、二次成形部分４２０の充填材の充填圧力を高くすることも考えられる。しかし、二次成形部分４２０の充填材の充填圧力を高くすると、一次成形部分の植毛孔４００と用毛束（溶融塊３１０）３００との間から樹脂洩れが発生し、製品不良となるため、充填圧力を高くすることにも限界がある。
【００１１】
【特許文献１】
特開平９−１８２６３２号公報
【特許文献２】
米国特許第５４５８４００号明細書
【００１２】
従って、本発明の目的は、一次成形部分と二次成形部分とが強固に一体化され二次成形部分の剥離が抑えられたブラシを提供することにある。
【００１３】
【課題を解決するための手段】
本発明者らは、上記二次成形材料の固化過程における熱収縮力及び二次成形部分と一次成形部分との接着界面部分に着目し、接着面の形状を考慮する事で、本発明を完成するに至った。
【００１４】
本発明は、複数の植毛孔を有する植毛基部の該植毛孔に用毛束をその片端部が突出するように挿入した後、該片端部に溶融塊を形成し、該溶融塊を充填材で被覆して前記植毛基部と前記用毛束とを固定化したブラシであって、前記植毛基部における前記充填材と接する部分に、固化した該充填材の該植毛基部からの剥離を抑制する剥離抑制部を設けたブラシを提供するものである。
なお、本明細書において、「植毛基部」とは、植毛孔が形成され、該植毛孔に用毛が挿入されて固定化される部分をいい、例えば歯ブラシにおいては、歯ブラシ本体の先端部に設けられる基板状の部分をいう。また、該植毛基部の基面部とは、植毛基部における、前記植毛孔に用毛束が挿入されてその端部が固定化される側の面をいう。
【００１５】
【発明の実施の形態】
以下、本発明のブラシを、その好ましい実施形態として、歯ブラシに適用した実施形態に基づいて図面を参照しながら説明する。
【００１６】
まず、本実施形態の歯ブラシの製造方法について説明する。
【００１７】
本実施形態の歯ブラシの製造方法においては、先ず、歯ブラシ本体の成形工程において、図１（ａ）に示すような、植毛基部４１を先端に有する歯ブラシ本体２を成形する。歯ブラシ本体２の成形工程では、植毛基部４１を有する歯ブラシ本体２の形態に対応したキャビティ１１（図１（ｂ）参照）及びキャビティ１１に通じる樹脂注入路１２を有する成形金型１０を用いる。そして、成形金型１０を射出成形装置（図示せず）にセットし、所定の射出成形圧で樹脂注入路１２から該キャビティ１１内に熱可塑性樹脂（図示せず）を溶融状態で射出し、冷却した後に脱型する。
【００１８】
歯ブラシ本体２は、従来から歯ブラシ本体に用いられている通常の熱可塑性樹脂で製造される。該熱可塑性樹脂としては、ポリプロピレン等のポリオレフィン、ポリカーボネート、ポリエチレンテレフタレート等のポリエステル、ポリメチルメタクリレート、アクリロニトリル−スチレン共重合体、アクリロニトリル−ブタジエン−スチレン共重合体等が挙げられる。該熱可塑性樹脂は、単独で又は複数を適宜選択して用いることができる。なお、一般的には、成形性が良く、比較的安価で、耐薬品性に優れるポリプロピレンが多く使われる。
【００１９】
次に、図２に示すように、得られたブラシ本体２を植毛基部４１の植毛孔４０に挿入する。この用毛束３の挿入方法に特に制限はなく、各種挿入方式が採用可能である。
【００２０】
前記植毛孔４０に挿入される用毛束３の個々の用毛には、従来から歯ブラシの用毛に用いられている通常の材質のものが用いられる。該用毛の材質としては、例えば、ナイロン等のポリアミド、ポリブチレンテレフタレート等のポリエステル等が挙げられる。
【００２１】
全ての用毛束３を植毛孔４０に挿入した後、図３に示すように、熱加工工程において、植毛孔４０から突出する用毛束３の片端部３０のそれぞれを熱源１６で加熱し、片端部３０を溶融して溶融塊３１を形成する。この際、溶融塊３１を非接触熱源で加熱する方式と、溶融塊３１を加熱押圧して溶融塊３１と植毛孔４０の開口周縁部の密着を強化する方式の双方が選択できる。
【００２２】
次に、図４に示すように溶融塊の被覆工程において、植毛基部４１の背面側に充填材を充填して該充填材で前記溶融塊３１を被覆し、固化させて被覆部４２を形成する。
【００２３】
この工程では、ブラシ本体２を用毛束保持治具１３とともに搬送手段（図示せず）で搬送し、図５に示すように、成形装置１７の金型１８に対して位置決めする。この際、金型１８で植毛基部４１を押圧し、植毛基部４１と金型１８との間の密閉性を高めて成形を行う。
【００２４】
上述のように用毛束保持治具１３を成形装置１７の金型１８に対して位置決めした後、充填装置１９から注入口２０を通じて植毛基部４１と金型１８との間に前記充填材を射出充填する。そして、前記溶融塊３１を被覆して植毛基部４１に用毛束３が固定化された植毛部４を形成する。
【００２５】
前記充填材には、前記植毛基部４１（ブラシ本体）と同種の材料を用いることが好ましい。
植毛基部４１に対して所望の接着性が得られる材料であれば、植毛基部４１の材質と異なる充填材を充填することもできる。この場合には、充填材は、植毛基部４１との接着性を考慮し、熱接着性のよい材料を選択することが好ましい。
【００２６】
充填材の充填圧は、１５〜３０Ｐａとすることが好ましい。
【００２７】
また、上述のように、植毛基部４１と成形装置１７の金型１８との間に充填材を射出して前記溶融塊３１を被覆するので、植毛基部４１、溶融塊３１に隙間無く充填材が注入されて植毛基部４１及び溶融塊３１と固化一体化される。このため、植毛基部４１に板状のプラスチック部材を貼り付けて被覆する方法（図示せず）等に比べて、植毛部（ヘッド）４の内部に空間が発生せず、歯磨き時に水分がヘッド内に入り込むことがないので、衛生的である。
【００２８】
また、本実施形態では、植毛基部４１の用毛束３の周囲のみ成形する形態をとっているため充填する充填材の量が少なくて済み、その分設備も小規模にできるほか、上述のように、射出圧力を低くすることができる。
【００２９】
射出成形の終了後、用毛束保持治具１３を成形装置１７から取り外す。そして、歯ブラシ１を用毛保持治具１３から取り外し、必要に応じてトリミング等の後工程の処理を行った後、歯ブラシ１の製造を完了する。
【００３０】
次に、植毛基部と充填材との接着を強化するための剥離抑制部を設けた本発明のブラシの第１〜第４実施形態について説明する。なお、これらの実施形態において第１実施形態と共通する部分については第１実施形態と同一符号を付し、その説明は省略する。従って、特に説明のない部分については第１実施形態の説明が適宜適用される。
【００３１】
〔第１実施形態：接着界面に凸部及び凹部からなる剥離抑制部を付与〕
図５は、本発明のブラシを歯ブラシに適用した第１実施形態を示すものである。図５において符号１は歯ブラシ、２はブラシ本体、２０はネック部を示している。
【００３２】
図５に示すように、歯ブラシ１は、複数の植毛孔４０を有する植毛基部４１の植毛孔４０に用毛束３をその片端部３０が突出するように挿入した後、片端部３０に溶融塊３１を形成し、溶融塊３１を充填材で被覆して植毛基部４１と用毛束３とを固定化したものである。
【００３３】
歯ブラシ１は、植毛基部４１における充填材と接する部分に、固化した充填材（被覆部４２）の植毛基部４１からの剥離を抑制する剥離抑制部５が設けられている。この剥離抑制部５は、植毛基部４１と被覆部４２とが充填材の熱収縮力、特に充填材の外表面側（金型に接する表面側）の熱収縮力に抗して接着状態を保ち、被覆部４２が植毛基部４１から剥離するのを抑えるために設けられている。本実施形態の歯ブラシ１では、剥離抑制部５は、突起（凸部）５ａ及び凹部５ｂからなる。
【００３４】
ヘッド（植毛部分）の厚みｔは、前述のように、口腔内での操作性を考慮すると、３〜５ｍｍであることが好ましい。また、植毛基部４１の基面部４１ａの厚さ（植毛孔の深さ）ｔ１は１〜２．５ｍｍであることが好ましい。このため、被覆部４２の厚み（充填流路）ｔ２は、実質的には１〜３ｍｍ程度である。
【００３５】
前記突起５ａ及び凹部５ｂは、充填材が充填される植毛基部４１における、充填材の収縮が最も大きい方向（例えばハンドル（植毛部）の長手方向：図５）の両端部に設けることが好ましく、また、充填材の各収縮方向対応して、複数設けることがさらに好ましい。また、突起５ａ及び凹部５ｂは個別に設けることができるほか、連なった状態で植毛基部の周囲に形成することもできる。
【００３６】
このように、本実施形態の歯ブラシ１は、植毛基部４１の基面部に突起５ａ及び凹部５ｂからなる剥離抑制部５を設け、被覆部４２の剥離を抑制するようにしたので、植毛基部（一次成形部分）４１と被覆部（二次成形部分）４２とが強固に一体化され、被覆部４２の剥離が抑えられた優れたものである。
【００３７】
〔第２実施形態：接着界面に粗面の剥離制限部を付与〕
図６は、本発明のブラシを歯ブラシに適用した第２実施形態を示すものである。第２実施形態の歯ブラシ１は、植毛基部４１と充填材の接着力を、強固なものにするため、植毛基部４１の接着界面部に剥離抑制部５として粗面（微細な凹凸）５１を設けたものである。
この粗面５１は、上述のように充填材の熱収縮に抗し得るような接着力を確保する上で、前記植毛基部４１と充填材との接着面積を広くでき且つ植毛基部４１における充填材と接する界面部分が少ない熱量で強固な溶融接着を可能にする。この粗面５１は、例えば、表面粗さＲａにおいて、０．５〜１５０μｍとすることが好ましく、２〜１００μｍとすることがより好ましい。
【００３８】
本実施形態においては、前記粗面５１が設けられているので、充填材の溶融温度を低く抑えた場合でも、粗面５１の部分が溶融しやすく、植毛基部４１と被覆部４２とが強固に接着される。
【００３９】
粗面５１は、植毛基部４１における該当部分の表面あるいは該当部分に対応する金型表面に加工を施すことによって形成することができる。
粗面５１の形成方法に特に制限はないが、効率的に植毛基部４１の面に粗面５１を形成する点から、金型表面にサンドブラスト加工、エンドミル加工や、放電加工によって形成することが好ましい。
【００４０】
本実施形態の歯ブラシ１も、前記実施形態の歯ブラシ１と同様に、植毛基部４１と被覆部４２とが強固に一体化され、被覆部４２の剥離が抑えられた優れたものである。
【００４１】
〔第３実施形態：接着界面に段差面からなる剥離抑制部を付与〕
図７（ａ）及び（ｂ）は、本発明のブラシを歯ブラシに適用した第３実施形態を示すものである。図７（ａ）及び（ｂ）に示すように、本実施形態の歯ブラシ１は、植毛基部４１の基面部４１ａから立ち上がる立ち上がり面部４３０を植毛孔４０を囲繞するよう形成している。
【００４２】
図７（ｂ）に示すように、本実施形態では、立ち上がり面部４３０と略直交する上面部４３１を設けているこの立ち上がり部４３は、その立ち上がり面部４３０及び上面部４３１で、植毛基部４１と充填材との接着面積を増大させ、前記熱収縮力に抗する接着強度を高めている。特に、上面部４３１における接着力は、充填材の表面において発生しやすい該熱収縮力に対して平行する方向に作用するため、高い抗力となる。
【００４３】
本実施形態の歯ブラシ１は、立ち上がり部４３の上面部４３１の外側に、剥離職制部５として段差５０を有している。前記段差５０は、植毛基部４１の前後及び左右に位置する部分を含み、立ち上がり部４３の前記上面部４３１における外周側の全周に亘って形成されている。このような段差５０を設けることで、充填材の熱収縮に伴って当該充填材の外表面の中央部分に向かって生じる熱収縮力に抗する力が増大し、被覆部４２の剥離が抑制される。
なお、段差５０は、植毛基部４１の前後及び左右に位置する部分にのみ設けることもできる。また、段差５０の立ち上がり部分をアンダーカットにして設けておき、被覆部４２の剥離をさらに確実に防止できるようにしてもよい。
【００４４】
段差５０は、ブラシ本体２の成形とともに成形して形成することが好ましいが、ブラシ本体２の成形後に加工によって形成することができる。
【００４５】
本実施形態の歯ブラシ１も、前記第１実施形態の歯ブラシ１と同様に、植毛基部４１と被覆部４２とが強固に一体化され、被覆部４２の剥離が抑えられた優れたものである。特に、植毛基部４１に立ち上がり部４３を設け、この立ち上がり部４３の立ち上がり面部４３０及び上面部４３１で接着面積を増やすとともに、剥離抑制部５として段差５０を設けたので、前記充填材の熱収縮力に抗する力が増大し、植毛基部４１と被覆部４２とが強固に接着される。
【００４６】
〔第４実施形態：植毛基部に貫通孔からなる剥離抑制部を付与〕
図８は、本発明のブラシを歯ブラシに適用した第４実施形態を示すものである。本実施形態の歯ブラシは、図８に示すように、剥離抑制部５として、植毛基部４１の基面部４１ａにおけるブラシ本体２のネック部側に上下方向に貫通する貫通孔５２を有しているとともに、植毛基部４１の立ち上がり部４３を貫通する貫通孔５３を有している。
【００４７】
前記貫通孔５２は、植毛基部４１の下面側において径が太いので、貫通孔５２内に前記充填材が充填されて固化したときに、該充填材が該貫通孔から抜けることがない。
【００４８】
また、図８（ａ）に示すように、立ち上がり部４３には、上面４３１に突起５１が形成されている。また、歯ブラシ１には、立ち上がり部４３の立ち上がり面部４３０及び上面部４３１には、剥離抑制部５として凹部５４、５５が形成されている。
【００４９】
本実施形態の歯ブラシ１も、前記第１実施形態の歯ブラシ１と同様に、植毛基部４１と被覆部４２とが強固に一体化され、被覆部４２の剥離が抑えられた優れたものである。特に、植毛基部４１に立ち上がり部４３を設け、この立ち上がり部４３の立ち上がり面部４３０及び上面部４３１で接着面積を増やすとともに、剥離抑制部５として突起（凸部）５１、貫通孔５２、５３、凹部５４、５５を設けたので、前記充填材の熱収縮力に抗する力が増大し、植毛基部４１と被覆部４２とが強固に接着される。
【００５０】
本発明は前記実施形態に制限されるものではなく、本発明の趣旨を逸脱しない範囲において適宜変更することができる。
【００５１】
前記第３、第４実施形態のように、立ち上がり部（立ち上がり面部）は、植毛基部４１の基面部４１ａから略垂直に立ち上がるように設けることが好ましいが（図９（ａ）参照）、本発明の効果を損なわない範囲において、図９（ｂ）及び（ｃ）に示すように、傾斜面４３３や曲面４３４とすることもできる。この場合、傾斜面４３２及び曲面４３３の充填材の収縮方向に対する効力の方向は、ベクトル分解すれば、いずれも、図９（ａ）の上面部４３１と同様の方向であることがわかる。
【００５２】
また、例えば、前記第３、第４実施形態のように、立ち上がり面部４３０及び上面部４３１（傾斜面・曲面を含む）は、植毛孔を囲繞するように全周に亘って立ち上がり部を設けることが好ましいが、本発明の効果を損なわない範囲において、立ち上がり部を部分的に設けることもできる。また立ち上がり部を分割して複数形成することもできるし、一部を省略することもできる。
【００５３】
部分的に設ける場合には、図１０（ａ）〜（ｃ）に示すように、立ち上がり部４３は、歯ブラシの使用時に繰り返し作用する応力に抗し得るようにブラシ本体２のネック部２０側に設けることが好ましい。さらには、一つの面でだけでなく、複数面（図１０（ａ）に示すように立ち上がり面部４３０及び立ち上がり面部に略直交する上面部４３１の双方）を有していることが好ましい。
【００５４】
また、剥離抑制部は、粗面、凹凸、段差、貫通孔又はこれらの組み合わせを適宜選択して設けることができる。
【００５５】
前記実施形態の剥離抑制部（粗面、凹凸（部）、段差、貫通孔）の形成は、植毛基部の成形時に金型より形成してもよく、また、成形後の後加工で形成してもよい。
【００５６】
本発明は、前記実施形態におけるように、歯ブラシに特に好適であるが、歯ブラシ以外のブラシ、例えば、ヘアブラシ、マッサージブラシ、洗浄ブラシ、マスカラなどの化粧料用ブラシ等の各種ブラシにも適用することができる。
【００５７】
【発明の効果】
本発明のブラシは、一次成形部分と二次成形部分とが強固に一体化され二次成形部分の剥離が抑えられた優れたものである。
【図面の簡単な説明】
【図１】前記歯ブラシの製造方法の一実施形態において用いられる成形金型及び歯ブラシ本体を模式的に示す図であり、（ａ）は成形金型の断面図、（ｂ）は歯ブラシ本体の側断面図である。
【図２】同実施形態における用毛束の挿入工程を模式的に示す要部断面図である。
【図３】同実施形態における熱加工工程を模式的に示す要部断面図である。
【図４】同実施形態における溶融塊の被覆工程を模式的に示す要部断面図である。
【図５】本発明のブラシを歯ブラシに適用した第１実施形態を模式的に示す要部断面図である。
【図６】本発明のブラシを歯ブラシに適用した第２実施形態を模式的に示す要部断面図である。
【図７】本発明のブラシを歯ブラシに適用した第３実施形態における、歯ブラシの先端部の形態を模式的に示す図であり、（ａ）は要部平面図、（ｂ）は要部側断面図である。
【図８】本発明のブラシを歯ブラシに適用した第４実施形態における、歯ブラシの先端部の形態を模式的に示す図であり、（ａ）は植毛基部の平面図、（ｂ）は歯ブラシの要部平面図、（ｃ）は歯ブラシの要部側面図である。
【図９】本発明のブラシを歯ブラシに適用した実施形態における植毛基部に設ける立ち上がり部の形態を模式的に示す部分断面図であり、（ａ）は立ち上がり面部を垂直に設けた実施形態、（ｂ）は傾斜面に設けた実施形態、（ｃ）は曲面に設けた実施形態の図である。
【図１０】本発明のブラシを歯ブラシに適用した実施形態における立ち上がり部を部分的に設けた形態を模式的に示す図であり、（ａ）は植毛基部の平面図、（ｂ）は歯ブラシの要部平面図、（ｃ）は歯ブラシの要部側断面図である。
【図１１】従来の技術における課題を説明する図であり、（ａ）は二次成形部分に充填材を充填した状態を示す要部側断面図、（ｂ）充填材の固化に伴う収縮状態を示す要部側断面図である。
【符号の説明】
１、１’  歯ブラシ
２  ブラシ本体
３  用毛束
３０  端部
３１  溶融塊
４  植毛部
４０  植毛孔
４１  植毛基部
４２  被覆部
４３  立ち上がり部
５  剥離抑制部
５０  段差
５１  凹凸
５２、５３  貫通孔
１７  成形装置
１８  金型
【図１】
2004254780.tif 000003
【図２】
2004254780.tif 000004
【図３】
2004254780.tif 000005
【図４】
2004254780.tif 000006
【図５】
2004254780.tif 000007
【図６】
2004254780.tif 000008
【図７】
2004254780.tif 000009
【図８】
2004254780.tif 000010
【図９】
2004254780.tif 000011
【図１０】
2004254780.tif 000012
【図１１】
2004254780.tif 000013